(57)【特許請求の範囲】
【請求項１】
駆動電子部品に連結された受信機と送信機であって、プリントエンジンから無線によって伝送されたデジタル信号を受信して、選択信号とデジタルピクセル電圧とを生成する受信機と、前記選択信号とデジタルピクセル電圧とを伝送する送信機と、
前記選択信号とデジタルピクセル電圧とを受信し、バイアス信号およびピクセル電圧を生成する、駆動電子部品と、
薄膜トランジスタ（ＴＦＴ）アレイ内に配列され、前記バイアス信号とピクセル電圧とを受信し、該バイアス信号およびピクセル電圧に応答して静電潜像を生成する複数の薄膜トランジスタ（ＴＦＴ）を有するバックプレーンと、を備え、
前記バックプレーンが、基板の上に配置されているピクセルの配列と、このピクセルの配列の上に配置されている電荷輸送層とで構成され、ピクセルの配列の各ピクセルが、電気的に隔離されており、個々に割り当て可能であり、１つ以上のナノカーボン材料または共役した有機ポリマーの層を含む、
潜像を印刷するための装置。
【請求項２】
ナノ画像形成体上に位置し、前記プリントエンジンから無線によって伝送された前記デジタル信号を受信し、受信した前記デジタル信号を受信機に送るアンテナをさらに備える、請求項１に記載の装置。
【請求項３】
前記受信機が、ワイヤレスディスプレイプロトコル（ＷｉＤｉ）受信機である、請求項１に記載の装置。
【請求項４】
前記バックプレーンが、複数のゾーンに分けられており、複数のゾーンは、それぞれ、プリントエンジンのコントローラから無線によって伝送されたデジタル信号を受信し、対応する選択信号とデジタルピクセル電圧とを作成するような、対応する受信機を備えている、請求項１に記載の装置。
【請求項５】
前記バックプレーンが、複数のゾーンに分けられており、この複数のゾーンの１つは受信機を備えており、この受信機は、受信した選択信号およびデジタルピクセル電圧を、複数のゾーンのうち、選択したゾーンに送る、請求項１に記載の装置。
【請求項６】
外部装置から画像信号を受信し、該画像信号に対応するデジタル信号を作成するプリントエンジンと、
前記プリントエンジンから受信したデジタル信号を伝送する無線送信機と、
駆動電子部品に連結され、前記デジタル信号を受信して選択信号とデジタルピクセル電圧とを生成するとともに、前記選択信号とデジタルピクセル電圧とを伝送する無線送受信機と、を備え、
前記駆動電子部品が、前記生成された選択信号とデジタルピクセル電圧とを受信し、バックプレーンが有する薄膜トランジスタ（ＴＦＴ）アレイの個々のＴＦＴにバイアスをかけ、静電潜像を作成するためのコントロール信号とピクセル電圧とを生成し、
前記バックプレーンが、基板の上に配置されているピクセルの配列と、このピクセルの配列の上に配置されている電荷輸送層とで構成され、ピクセルの配列の各ピクセルが、電気的に隔離されており、個々に割り当て可能であり、１つ以上のナノカーボン材料または共役した有機ポリマーの層を含む、
印刷デバイス。
【発明の詳細な説明】
【技術分野】
【０００１】
今回開示されている実施形態は、直接的なデジタル式マーキング（印刷）システムで使用されるデータ通信システム、つまり、プリントエンジンと新規画像形成体との間を数百万ビットのデータを伝送するための無線通信を利用するデータ通信システムに関する。
【背景技術】
【０００２】
２種類の従来のカラー印刷技術プラットフォーム（すなわち、インクジェットおよびゼログラフィー）が存在し、他の新しいカラー印刷技術プラットフォーム（すなわち、デジタルフレキソ印刷またはデジタルオフセット印刷）が存在する。これらのカラー印刷技術プラットフォームは、それぞれ、非常に複雑な印刷システムを有しており、本体（デバイス）の費用が高く、印刷のランニングコストが高い。
【０００３】
ナノテクノロジーおよびディスプレイ技術における新しい進歩によって、デジタル電場は、パターン形成可能な正孔注入材料とＸｅｒｏｘ電荷（正孔）輸送層との間で、電場によって誘発される正孔注入反応を利用して作り出すことができるという開発／発見がもたらされた。例えば、出願番号第１２／５３９，３９７号および第１２／５３９，５５７号、整理番号２００９０３１２−ＵＳ−ＮＰ  ００１０．０１８３、名称Ｄｉｇｉｔａｌ  Ｅｌｅｃｔｒｏｓｔａｔｉｃ  Ｌａｔｅｎｔ  Ｉｍａｇｅ  Ｇｅｎｅｒａｔｏｒ、整理番号  ２００９０６０８−３８１２３８、名称Ｄｉｇｉｔａｌ  Ｅｌｅｃｔｒｏｓｔａｔｉｃ  Ｌａｔｅｎｔ  Ｉｍａｇｅ  Ｇｅｎｅｒａｔｉｎｇ  Ｍｅｍｂｅｒにおいて、カーボンナノチューブ（ＣＮＴ）およびＰＥＤＯＴが、電場の影響を受けつつ、Ｘｅｒｏｘ電荷輸送層（ポリカーボネート中のＣＴＬ、ＴＰＤ）に効果的に正孔を注入することがわかった。ＣＮＴおよびＰＥＤＯＴは、ナノ製造技術を用いてパターン形成可能であり、これによって、ミクロン単位の寸法でピクセルを作成することができる。これらのピクセルをＴＰＤ  ＣＴＬでオーバーコーティングすると、デジタル潜像を作ることができ、印刷システムを完全にデジタル化するための適切なバックプレーン技術にこれらのピクセルを組み込んでもよい。
【０００４】
それに加え、ゼログラフィー式現像システムでは、潜像の作成、トナーの現像は、ＲＯＳ／レーザおよびチャージャーという従来の組み合わせを用いなくても行うことができ、これによって、ゼログラフィーと比較して、静電潜像の作成が単純になる。このことは、出願番号第１２／８６９，６０５号、整理番号２０１０００５７−ＵＳ−ＮＰ  ００１０．０２３６、名称「Ｄｉｒｅｃｔ  Ｄｉｇｉｔａｌ  Ｍａｒｋｉｎｇ  Ｓｙｓｔｅｍｓ」に開示されている。実例として、ＰＥＤＯＴ正孔注入層とＴＰＤ  ＣＴＬとを含む二層デバイスを、ＣＲＵのＯＰＣドラムに取り付けてもよい。このドラムは、現像爪に沿って回転し、トナー画像は、現像後領域で観察された。まず、二層部材が磁気ブラシと接すると、磁気ブラシにバイアスがかかり、正孔注入反応を誘発し、二層のＣＴＬ表面に静電潜像が作られる。その後、トナーを現像した後、二層部材は、現像爪から出る。この２工程プロセスは、現像爪内で起こり、レーザ／ＲＯＳ、チャージャーまたは光受容体を用いずに、トナーが直接印刷される。色づけされた画像を紙に転写した後、融合させることによって、永続的な画像を得てもよい。
【０００５】
このナノ画像マーカーおよび直接的なデジタル式印刷プロセスを、出願番号第１２／８５４，５２６号、整理番号２００９１４９５−ＵＳ−ＮＰ／００１０．０２２６、名称「Ｅｌｅｃｔｒｏｓｔａｔｉｃ  Ｄｉｇｉｔａｌ  Ｏｆｆｓｅｔ／Ｆｌｅｘｏ  Ｐｒｉｎｔｉｎｇ」に記載されているように、フレキソインク、オフセットインク、液体トナーを用いる印刷まで拡張することもできる。したがって、新しい直接的な印刷概念は、潜在的な新規デジタル式印刷プラットフォームと呼ばれることもある。
【０００６】
米国特許第６，１００，９０９号（発明者ＨａｓｓおよびＫｕｂｂｙらに対する）は、画像形成体を作成するための装置を記載している。この装置は、高電圧薄膜トランジスタ（ＴＦＴ）およびコンデンサの配列を備えている。潜像は、高電圧電源と、帯電領域検出（ＣＡＤ）型の現像を利用し、それぞれのＴＦＴに対して直流のバイアスをかけることによって作られる。図１は、画像形成体を作成するための装置内にある薄膜トランジスタの整列を示す。配列１０は、５行５列の長方形のマトリックス内に整列している。５個のみの行および列が図示されているが、本発明のいくつかの実施形態では、６００ｄｐｉの解像度を有する８．５インチ×１１インチの配列で印刷するか、または画像形成するデバイスに配置されており、この配列は、約３×１０５のトランジスタを有しており、これは、約３×１０５百万ピクセルのセルに対応するだろう。それに加え、解像度が１２００ｄｐｉの場合、この配列は、７×１０５のトランジスタを有しており、７×１０５ピクセルのセルを有しているだろう。
【０００７】
配列１０は、正孔輸送層でオーバーコーティングされた正孔注入ピクセルからなる二層画像形成体と接続している場合、コンピュータ４４（例えば、プリントエンジン）からコントローラ４２に供給されるデジタル情報から潜像を作成する。コントローラ４２は、デジタルフロントエンド（「ＤＦＥ」）と呼ばれることもある。コンピュータは、コントローラ４２（またはＤＦＥ）にデジタル信号を供給し、このデジタル信号を、利用する色空間（例えば、ＣＭＹＫ色空間またはＲＧＢ色空間）内のビットに分解する。ビットは、画像を印刷するためにプリンタが利用する、異なる強度を有する異なる色をあらわす。コントローラ４２は、デコーダ１２、リフレッシュ回路１８、デジタル−アナログ（Ｄ／Ａ）変換器１６を備える多数のインターフェースデバイスを介して配列１０の操作を命令する。
【０００８】
静止している他のアクティブマトリクス方式の製品（例えば、テレビ受像機またはモニタ）とは対照的に、新しいナノ画像形成体（ベルトの一部分に接続しているか、ドラムの一部分に接続しているかにかかわらず）は、印刷プロセス中に移動していると予想される。移動する画像形成体に転写してデジタル電場を作るには、数百万のビットが必要であろう。したがって、ベルト（またはドラム）が動いている間に、駆動する電子部品とバックプレーンとを連結するのは、きわめて困難な問題である。ベルトまたはドラムは動いているが、数百万のビットと、さらに電流がバックプレーンに供給される。
【０００９】
したがって、印刷デバイス内で移動しているナノ画像形成体に、大量のデータおよび／または電流を正確に、費用対効果が優れた状態で提供するシステムおよび／または方法が、満たされていない要求として存在する。
【発明の概要】
【００１０】
本明細書に示されている実施形態によれば、プリントエンジン、駆動している電子部品、ナノ画像形成体の間を連結するためにワイヤレスディスプレイ（「ＷｉＤｉ」）技術を利用するシステムおよび方法が記載される。より特定的には、ＷｉＤｉアンテナ／受信機は、ナノ画像形成マーカーの駆動している電子部品に組み込まれ、コントローラ（またはデジタルフロントエンド）を介してコンピュータまたはプリントエンジンから伝送された信号を受信する。現在のカラープリンタでは、デジタルファイルを作成するためにコンピュータを利用する。デジタルファイルをコントローラ（デジタルフロントエンド）に送り、このコントローラ（デジタルフロントエンド）で、デジタル印刷ファイルが、ＣＭＹＫビットまたはＲＢＧビットに分解される。コントローラは、デジタルビットをアンテナ／受信機にＷｉＤｉを利用して無線で送る。次いで、受信した無線デジタル信号は、駆動している電子部品に送られ、この電子部品が、移動しているナノ画像形成体のＴＦＴにデジタル信号を伝送する。ＴＦＴが受信した信号および電圧は、二層画像形成体の正孔注入ピクセルにおいて正孔注入を誘発し、デジタル電場を作り出すだろう。このデジタル電場が潜像を作り出し、印刷は、コントローラと、駆動している電子部品との間に配線がなくても行われる。次いで、潜像を、その後のマーキング技術によって、印刷する（か、または現像する）。本発明のいくつかの実施形態では、ナノ画像形成体を、デバイスの印刷速度によって多数のデータゾーンに分けることができる。
【００１１】
特に、本実施形態は、プリントエンジンの印刷コントローラから無線によって伝送されたデジタル印刷信号を受信することと、バックプレーンにおいて、受信したデジタル印刷信号に応答して、多数の薄膜トランジスタ（ＴＦＴ）を個々に割り当てるための駆動信号を伝送することと、受信したデジタル印刷信号に応答して、ピクセル電圧を送り、バックプレーン内の個々のＴＦＴにバイアスをかけ、静電潜像を作成することとを含む、静電潜像を作成する方法を提供する。受信したデジタル信号を、ＷｉＤｉワイヤレスプロトコルにしたがって伝送してもよい。それに加え、この実施形態は、現像サブシステムで静電潜像を受け取ることと、この静電潜像を色づけされた画像に変換することとをさらに実現する。また、いくつかの実施形態は、色づけされた画像を受け取ることと、この色づけされた画像を媒体に転写することと、この色づけされた画像を媒体上に定着させることとを実現する。
【００１２】
さらなる実施形態では、コントローラから無線によって伝送されたデジタル信号を受信し、選択信号と、デジタルピクセル電圧とを作成するような構成の受信機と；選択信号とデジタルピクセル電圧とを受信し、バイアス信号およびピクセル電圧を作成するような構成である、駆動している電子部品と；バックプレーン内に整列し、バイアス信号およびピクセル電圧を受け取る、複数の薄膜トランジスタ（ＴＦＴ）とを備え、ＴＦＴが正孔注入ピクセルを駆動させ、バイアス信号およびピクセル電圧に応答して静電潜像を作成する、潜像を印刷するための装置が提供される。さらなる実施形態は、コントローラから無線によって伝送されたデジタル信号を受信し、受信したデジタル信号を受信機に送るアンテナを備えていてもよい。受信機は、ワイヤレスディスプレイプロトコル（ＷｉＤｉ）受信機であってもよい。さらなる実施形態では、バックプレーンは、複数のゾーンに分けられ、複数のゾーンは、それぞれ、プリントエンジンのコントローラから無線によって伝送されたデジタル信号を受信し、対応する選択信号とデジタルピクセル電圧とを作成するような、対応する受信機を備えている。または、バックプレーンは、複数のゾーンに分けられており、この複数のゾーンの１つは受信機を備えており、この受信機は、受信した選択信号およびデジタルピクセル電圧を、複数のゾーンのうち、選択したゾーンに送る。
【００１３】
本実施形態をよりよく理解するために、添付の図面を参照しなければならないだろう。
【図面の簡単な説明】
【００１４】
【図１】図１は、従来技術の画像形成体を作成するための装置における薄膜トランジスタの配列を示す。
【図２】図２は、ＷｉＤｉ技術を組み込んだテレビ受像システムを示す。
【図３Ａ】図３（ａ）は、一実施形態の潜像画像を形成する装置の操作を示す。
【図３Ｂ】図３（ｂ）は、一実施形態の直接的なナノデジタル印刷システムの一実施形態を示す。
【図３Ｃ】図３（ｃ）は、一実施形態のナノ画像形成体の断面図をあらわす。
【図３Ｄ】図３（ｄ）は、一実施形態のナノ画像形成体の上面図をあらわす。
【図４】図４は、一実施形態の印刷デバイスにおけるナノ画像形成体を示す。
【発明を実施するための形態】
【００１５】
２０１０年代初期に、Ｉｎｔｅｌ  Ｃｏｒｐｏｒａｔｉｏｎは、Ｗｉｒｅｌｅｓｓ  Ｄｉｓｐｌａｙ（「ＷｉＤｉ」）技術を導入した。ＷｉＤｉによって、追加費用はほとんどなく、ラップトップユーザが、ディスプレイ信号（例えば、ビデオ信号）を無線によってテレビ受像機（「ＴＶ」）に伝送し、伝送されたビデオをＴＶでリアルタイムに見ることができる。図２は、ＷｉＤｉ技術が組み込まれたテレビ受像システムを示す。このシステムは、ＷｉＤｉ能力を有するラップトップ２１０と、テレビ受像機用ＷｉＤｉアダプタ２２０と、ＨＤＭＩケーブル２３０と、テレビ受像機２４０とを備えている。ラップトップ２１０は、無線伝送を介し、ラップトップのスクリーンに映し出されているものをテレビ受像機用アダプタ２２０に送る（または伝送する）。テレビ受像機用アダプタ２２０は、Ｎｅｔｇｅａｒ  Ｐｕｓｈ２ＴＶアダプタであってもよい。テレビ受像機用アダプタ２２０は、受信した信号（ラップトップのディスプレイに対応する）を、ＨＤＭＩケーブル２３０を介してテレビ受像機２４０に送る。このように、ラップトップディスプレイの情報が、部屋にケーブルを張りめぐらせることなく、テレビ受像機に送られる。
【００１６】
本実施形態では、印刷デバイス内でデータをやりとりするために無線通信を利用するシステムおよび方法が記載されている。印刷デバイスにおいて、コントローラは、ナノ画像形成体内の駆動している電子部品にデータを無線によって伝送する。いくつかの実施形態では、印刷デバイスで利用される無線通信プロトコルは、ＷｉＤｉプロトコルである。ナノ画像形成体の駆動している電子部品に、無線アンテナ／受信機を組み込んでもよい。具体的には、ナノ画像形成マーカーの駆動している電子部品にＷｉＤｉアンテナ／受信機が組み込まれ、無線によって伝送されたデジタル信号を受信してもよい。
【００１７】
コンピュータ（またはプリントエンジン）は、印刷ファイルをコントローラ（またはＤＦＥ）に送り、プリンタが印刷ファイルに対応する画像を印刷することができるように、印刷ファイルをＣＭＹＫデジタルビットまたはＲＧＢデジタルビットに変換するだろう。コントローラ（またはＤＦＥ）は、ＣＭＹＫデジタルビットまたはＲＧＢデジタルビットをアンテナ／受信機に無線によって伝送する。アンテナは、ナノ画像形成体のための駆動している電子部品の一部分であってもよく、ナノ画像形成体の駆動している電子部品に接続していてもよい。次いで、受信したデジタル信号を用い、薄膜トランジスタ（ＴＦＴ）の配列を駆動させ、ナノ画像形成体の中にデジタル電場を作り出す。デジタル電場は、潜像を作り出す。次いで、潜像を、その後のマーキング技術によって、印刷する（か、または現像する）。
【００１８】
さらなる実施形態では、ナノ画像形成体を、印刷デバイスの印刷速度または設計に応じて多数のデータゾーンに分けることができる。ナノ画像形成体のそれぞれのデータゾーンは、組み込まれたアンテナ／受信機を有していてもよい。さらなる実施形態では、ナノ画像形成体は、駆動している電子部品の一部として、たった１個のアンテナ／受信機を有していてもよい。アンテナ／受信機は、コントローラから無線によって伝送されたデジタル信号を受信し、受信したデジタル信号を選択したデータゾーンに分配する。
【００１９】
図３（ａ）は、ナノ画像形成体を用いる、潜像画像を形成する装置３８０の操作を示す。潜像画像を形成する装置は、正孔注入ピクセル３８５の配列を基板３８２の上に備えている。正孔注入ピクセルは、個々のピクセルを割り当てるために、複数のＴＦＴ３８４を有するＴＦＴバックプレーンとつながっている。ナノ画像形成体は、さらに、正孔注入ピクセルの配列の上に配置されている電荷輸送層３８６を備えている。電荷輸送層３８６は、１つ以上のピクセル３８５によって与えられる正孔を輸送し、印刷に必要な静電電荷のコントラストを作り出すような構成であってもよい。
【００２０】
種々の実施形態では、配列の各ピクセル３８５は、ナノカーボン材料の層を含んでいてもよい。他の実施形態では、配列の各ピクセル３８５は、共役した有機ポリマーの層を含んでいてもよい。さらにいくつかの他の実施形態では、配列の各ピクセル３８５は、ナノカーボン材料と、共役した有機ポリマーとを含む混合物の層（例えば、１種類以上の共役した有機ポリマーに分散したナノカーボン材料）を含んでいてもよい。特定の実施形態では、１つ以上のナノカーボン材料および／または共役した有機ポリマーを含む層の表面抵抗率は、約５０ｏｈｍ／ｓｑ〜約１０，０００ｏｈｍ／ｓｑ、または約１００ｏｈｍ／ｓｑ〜約５，０００ｏｈｍ／ｓｑ、または約１２０ｏｈｍ／ｓｑ〜約２，５００ｏｈｍ／ｓｑであってもよい。ナノカーボン材料および共役した有機ポリマーは、潜像を静電的に作成するための正孔注入材料として作用してもよい。ナノカーボン材料および共役した有機ポリマーを正孔注入材料として用いることの利点のひとつは、この材料を、例えば、フォトリソグラフィー、インクジェット印刷、スクリーン印刷、転写印刷などの種々の加工技術によってパターン形成することが可能なことである。
【００２１】
ナノカーボン材料を含む正孔注入ピクセル。本明細書で使用される場合、句「ナノカーボン材料」は、少なくとも１つの寸法がナノメートルの大きさであり、例えば、約１０００ｎｍ未満である、炭素を含有する材料を指す。いくつかの実施形態では、ナノカーボン材料としては、例えば、単層カーボンナノチューブ（ＳＷＮＴ）、二層カーボンナノチューブ（ＤＷＮＴ）、多層カーボンナノチューブ（ＭＷＮＴ）；官能基化されたカーボンナノチューブ；および／またはグラフェンおよび官能基化されたグラフェンを含むナノチューブが挙げられ、ここで、グラフェンは、ハニカム型の結晶格子に緻密に封入された、ｓｐ２混成軌道で結合した炭素原子の１枚の平らなシートであり、実際には、厚みは１原子分であり、それぞれの原子は、表面原子である。
【００２２】
カーボンナノチューブは、例えば、精製後の合成されたままのカーボンナノチューブは、層の数、直径、長さ、キラリティ、および／または欠陥率という観点で構造的にカーボンナノチューブの混合物であってもよい。例えば、カーボンナノチューブが金属であるか、または半導体であるかにかかわらず、キラリティが記述されていてもよい。金属性のカーボンナノチューブは、金属が約３３％であってもよい。カーボンナノチューブは、直径が、約０．１ｎｍ〜約１００ｎｍ、または約０．５ｎｍ〜約５０ｎｍ、または約１．０ｎｍ〜約１０ｎｍの範囲であってもよく、長さが、約１０ｎｍ〜約５ｍｍ、または約２００ｎｍ〜約１０μｍ、または約５００ｎｍ〜約１０００ｎｍの範囲であってもよい。特定の実施形態では、１つ以上のナノカーボン材料を含む層の中のカーボンナノチューブの濃度は、約０．５重量％〜約９９重量％、または約５０重量％〜約９９重量％、または約９０重量％〜約９９重量％であってもよい。いくつかの実施形態では、カーボンナノチューブをバインダー材料と混合し、１つ以上のナノカーボン材料の層を作成してもよい。バインダー材料は、当業者が知っているような任意のバインダーポリマーを含んでいてもよい。
【００２３】
種々の実施形態では、ピクセル配列の各ピクセル３８５の中のナノカーボン材料の層は、溶媒を含有するコーティング可能なカーボンナノチューブ層を含んでいてもよい。溶媒を含有するコーティング可能なカーボンナノチューブ層は、カーボンナノチューブの水分散物またはアルコール分散物からコーティングされてもよく、カーボンナノチューブは、界面活性剤、ＤＮＡまたはポリマー材料で安定化することができる。他の実施形態では、カーボンナノチューブの層は、限定されないが、カーボンナノチューブポリマーコンポジットおよび／またはカーボンナノチューブが充填された樹脂を含む、カーボンナノチューブコンポジットを含んでいてもよい。いくつかの実施形態では、ナノカーボン材料の層は、薄くてもよく、厚みが、約１ｎｍ〜約１μｍ、または約５０ｎｍ〜約５００ｎｍ、または約５ｎｍ〜約１００ｎｍの範囲であってもよい。
【００２４】
共役した有機ポリマーを含む正孔注入ピクセル。種々の実施形態では、各ピクセル３８５の中の共役した有機ポリマーの層は、任意の適切な材料を含んでいてもよく、例えば、エチレンジオキシチオフェン（ＥＤＯＴ）またはその誘導体に由来する共役したポリマーを含んでいてもよい。共役したポリマーとしては、限定されないが、ポリ（３，４−エチレンジオキシチオフェン）（ＰＥＤＯＴ）、アルキル置換されたＥＤＯＴ、フェニル置換されたＥＤＯＴ、ジメチル置換されたポリプロピレンジオキシチオフェン、シアノビフェニル置換された３，４−エチレンジオキシチオフェン（ＥＤＯＴ）、テトラデシル置換されたＰＥＤＯＴ、ジベンジル置換されたＰＥＤＯＴ、イオン性基で置換されたＰＥＤＯＴ、例えば、スルホネート置換されたＰＥＤＯＴ、デンドロン置換されたＰＥＤＯＴ、例えば、デンドロン化ポリ（パラ−フェニレン）など、およびこれらの混合物を挙げることができる。さらなる実施形態では、共役した有機ポリマーは、ＰＥＤＯＴと、例えば、ポリスチレンスルホン酸（ＰＳＳ）とを含む錯体であってもよい。ＰＥＤＯＴ−ＰＳＳ錯体の分子構造は、以下のように示すことができる。
【化１】
0005820730.tif 000002
例示的なＰＥＤＯＴ−ＰＳＳ錯体は、テンプレートポリマーＰＳＳが存在する条件下で、ＥＤＯＴの重合によって得ることができる。ＰＥＤＯＴ−ＰＳＳ錯体を含む層の導電性は、２個以上の極性基を有する化合物（例えば、エチレングリコール）をＰＥＤＯＴ−ＰＳＳ水溶液に加えることによって、制御することができる（例えば、高めることができる）。Ａｌｅｘａｎｄｅｒ  Ｍ．Ｎａｒｄｅｓの表題「Ｏｎ  ｔｈｅ  Ｃｏｎｄｕｃｔｉｖｉｔｙ  ｏｆ  ＰＥＤＯＴ−ＰＳＳ  Ｔｈｉｎ  Ｆｉｌｍｓ，」、２００７、Ｃｈａｐｔｅｒ  ２、Ｅｉｎｄｈｏｖｅｎ  Ｕｎｉｖｅｒｓｉｔｙ  ｏｆ  Ｔｅｃｈｎｏｌｏｇｙ（その全体が本明細書に参考として組み込まれる）の論文に記載されているように、このような添加剤は、ＰＥＤＯＴ−ＰＳＳ錯体のＰＥＤＯＴ鎖の構造変化を誘発することがある。ＰＥＤＯＴの導電性は、酸化工程中に調節することもできる。ＰＥＤＯＴ−ＰＳＳの水分散物は、ＢＡＹＴＲＯＮ  Ｐ（登録商標）としてＨ．Ｃ．Ｓｔａｒｃｋ，Ｉｎｃ．（ボストン、ＭＡ）から市販されている。ＭｙｌａｒにコーティングされたＰＥＤＯＴ−ＰＳＳ膜は、Ｏｒｇａｃｏｎ（商標）膜（Ａｇｆａ−Ｇｅｖａｅｒｔ  Ｇｒｏｕｐ、モルツェル、ベルギー）で市販されている。また、ＰＥＤＯＴは、例えば、電子を豊富に含むＥＤＯＴに由来するモノマーを水系媒体または非水系媒体から電気化学的に酸化することによって、化学重合によって得てもよい。ＰＥＤＯＴの例示的な化学重合としては、Ｌｉ  Ｎｉｕら、表題「Ｅｌｅｃｔｒｏｃｈｅｍｉｃａｌｌｙ  Ｃｏｎｔｒｏｌｌｅｄ  Ｓｕｒｆａｃｅ  Ｍｏｒｐｈｏｌｏｇｙ  ａｎｄ  Ｃｒｙｓｔａｌｌｉｎｉｔｙ  ｉｎ  Ｐｏｌｙ（３，４−ｅｔｈｙｌｅｎｅｄｉｏｘｙｔｈｉｏｐｈｅｎｅ）  Ｆｉｌｍｓ」、Ｓｙｎｔｈｅｔｉｃ  Ｍｅｔａｌｓ、２００１、Ｖｏｌ．１２２、４２５−４２９；およびＭａｒｋ  Ｌｅｆｅｂｖｒｅらによる、表題「Ｃｈｅｍｉｃａｌ  Ｓｙｎｔｈｅｓｉｓ，  Ｃｈａｒａｃｔｅｒｉｚａｔｉｏｎ，ａｎｄ  Ｅｌｅｃｔｒｏｃｈｅｍｉｃａｌ  Ｓｔｕｄｉｅｓ  ｏｆ  Ｐｏｌｙ（３，４−ｅｔｈｙｌｅｎｅｄｉｏｘｙｔｈｉｏｐｈｅｎｅ）／Ｐｏｌｙ（ｓｔｙｒｅｎｅ−４−ｓｕｌｆｏｎａｔｅ）Ｃｏｍｐｏｓｉｔｅｓ」、Ｃｈｅｍｉｓｔｒｙ  ｏｆ  Ｍａｔｅｒｉａｌｓ、１９９９、Ｖｏｌ．１１、２６２−２６８（これらは、その全体が本明細書に参考として組み込まれる）に開示されているものを挙げることができる。また、上の参考文献に記載されているように、ＰＥＤＯＴの電気化学的合成は、少量のモノマーを用い、短い重合時間で行ってもよく、電極に担持された膜および／または自立する膜を得ることができる。
【００２５】
種々の実施形態では、ピクセル３８５の配列は、まず、ナノカーボン材料および／または共役した有機ポリマーを含む層を基板３８２の上に作成することによって作られてもよい。例えば、浸漬コーティング、スプレーコーティング、スピンコーティング、ウェブコーティング、ドローダウンコーティング、フローコーティング、および／または押出ダイコーティングのような任意の適切な方法を用いて、この層を作成してもよい。次いで、基板３８２の上にあるナノカーボン材料および／または共役した有機ポリマーを含む層を、パターン形成するか、または他の方法で処理し、ピクセル３８５の配列を作成してもよい。限定されないが、フォトリソグラフィーによるエッチング、または直接的なパターン形成のような適切なナノ加工技術を用い、ピクセル３８５の配列を作成してもよい。例えば、ナノインプリンティング、インクジェット印刷および／またはスクリーン印刷によって、材料に直接パターン形成してもよい。結果として、配列の各ピクセル３８５は、少なくとも１つの寸法（例えば、長さまたは幅）が、約１００ｎｍ〜約５００μｍ、または約１μｍ〜約２５０μｍ、または約５μｍ〜約１５０μｍの範囲であってもよい。
【００２６】
基板３８２のために、限定されないが、アルミニウム、ステンレス鋼、マイラー、ポリイミド（ＰＩ）、可とう性ステンレス鋼、ポリ（エチレンナフタレート）（ＰＥＮ）、可とう性ガラスのような任意の適切な材料を用いてもよい。
【００２７】
電荷輸送層−図３（ａ）を再び参照すると、ナノサイズで使用可能な画像形成体３８０は、ピクセル配列３８５から１つ以上のピクセルによって、ピクセル配列の反対側にある表面３８８に与えられる正孔を輸送するような構成の電荷輸送層３８６も備えていてもよい。電荷輸送層３８６は、表面電荷を選択的に散逸させるために、電荷輸送層３８６を介して正孔または電子を輸送することが可能な材料を含んでいてもよい。特定の実施形態では、電荷輸送層３８６は、電気的に不活性なポリマーに溶解しているか、または分子状態で分散している、電荷を輸送する低分子を含んでいてもよい。一実施形態では、電荷を輸送する低分子を、電気的に不活性なポリマーに溶解し、ポリマーを含む均一相を作成してもよい。別の実施形態では、電荷を輸送する低分子は、分子スケールでポリマーに分子状態で分散していてもよい。任意の適切な電荷を輸送する低分子または電気的に活性な低分子が、電荷輸送層３８６で使用されてもよい。いくつかの実施形態では、電荷を輸送する低分子は、電荷輸送層とピクセルとの界面で生成する自由正孔が、電荷輸送層３８６を通って表面３８８に輸送することが可能なモノマーを含んでいてもよい。例示的な電荷を輸送する低分子としては、限定されないが、ピラゾリン、例えば、１−フェニル−３−（４’−ジエチルアミノスチリル）−５−（４”−ジエチルアミノフェニル）ピラゾリン；ジアミン、例えば、Ｎ，Ｎ’−ジフェニル−Ｎ，Ｎ’−ビス（３−メチルフェニル）−（１，１’−ビフェニル）−４，４’−ジアミン（ＴＰＤ）；トリフェニルアミン、Ｎ，Ｎ，Ｎ’，Ｎ’−テトラ−ｐ−トリル−１，１’−ビフェニル−４，４’−ジアミン（ＴＭ−ＴＰＤ）のような他のアリールアミン；ヒドラゾン、例えば、Ｎ−フェニル−Ｎ−メチル−３−（９−エチル）カルバジルヒドラゾン、４−ジエチルアミノベンズアルデヒド−１，２−ジフェニルヒドラゾン；オキサジアゾール、例えば、２，５−ビス（４−Ｎ，Ｎ’−ジエチルアミノフェニル）−１，２，４−オキサジアゾール；スチルベン；アリールアミンなどが挙げられる。例示的なアリールアミンは、以下の式／構造
【化２】
0005820730.tif 000003
および
【化３】
0005820730.tif 000004
を有していてもよく、式中、Ｘは、アルキル、アルコキシ、アリール、およびこれらの誘導体のような適切な炭化水素；ハロゲン、またはこれらの混合物、特に、ＣｌおよびＣＨ３からなる群から選択されるこれらの置換基；以下の式を有する分子
【化４】
0005820730.tif 000005
および
【化５】
0005820730.tif 000006
であり、式中、Ｘ、Ｙ、Ｚは、独立して、アルキル、アルコキシ、アリール、ハロゲン、またはこれらの混合物であり、Ｙ、Ｚのうち、少なくとも１つは存在する。アルキル基および／またはアルコキシ基は、例えば、炭素原子を１〜約２５個、または１〜約１８個、または１〜約１２個含んでいてもよく、例えば、メチル、エチル、プロピル、ブチル、ペンチル、および／またはこれらの対応するアルコキシドであってもよい。アリール基は、例えば、炭素原子を約６〜約３６個含んでいてもよく、例えば、フェニルなどであってもよい。ハロゲンとしては、塩素、臭素、ヨウ素および／またはフッ素を挙げることができる。置換アルキル、置換アルコキシ、置換アリールも、種々の実施形態にしたがって用いてもよい。
【００２８】
電荷輸送層３８６に使用可能な特定のアリールアミンの例としては、限定されないが、Ｎ，Ｎ’−ジフェニル−Ｎ，Ｎ’−ビス（アルキルフェニル）−１，１’−ビフェニル−４，４’−ジアミン（ここで、アルキルは、メチル、エチル、プロピル、ブチル、ヘキシルなどからなる群から選択される）；Ｎ，Ｎ’−ジフェニル−Ｎ，Ｎ’−ビス（ハロフェニル）−１，１’−ビフェニル−４，４’−ジアミン（ここで、ハロ置換基は、クロロ置換基である）；Ｎ，Ｎ’−ビス（４−ブチルフェニル）−Ｎ，Ｎ’−ジ−ｐ−トリル−［ｐ−ターフェニル］−４，４”−ジアミン、Ｎ，Ｎ’−ビス（４−ブチルフェニル）−Ｎ，Ｎ’−ジ−ｍ−トリル−［ｐ−ターフェニル］−４，４”−ジアミン、Ｎ，Ｎ’−ビス（４−ブチルフェニル）−Ｎ，Ｎ’−ジ−ｏ−トリル−［ｐ−ターフェニル］−４，４”−ジアミン、Ｎ，Ｎ’−ビス（４−ブチルフェニル）−Ｎ，Ｎ’−ビス−（４−イソプロピルフェニル）−［ｐ−ターフェニル］−４，４”−ジアミン、Ｎ，Ｎ’−ビス（４−ブチルフェニル）−Ｎ，Ｎ’−ビス−（２−エチル−６−メチルフェニル）−［ｐ−ターフェニル］−４，４”−ジアミン、Ｎ，Ｎ’−ビス（４−ブチルフェニル）−Ｎ，Ｎ’−ビス−（２，５−ジメチルフェニル）−［ｐ−ターフェニル］−４，４’−ジアミン、Ｎ，Ｎ’−ジフェニル−Ｎ，Ｎ’−ビス（３−クロロフェニル）−［ｐ−ターフェニル］−４，４”−ジアミンなどが挙げられる。任意の他の既知の電荷輸送層分子を選択してもよい。
【００２９】
上に示されるように、適切な電気的に活性な低分子である、電荷を輸送する分子または化合物を、電気的に不活性なポリマー膜を形成する材料に溶解するか、または分子状態で分散させてもよい。所望な場合、電荷輸送層３８６の電荷輸送材料は、ポリマー電荷輸送材料、または低分子電荷輸送材料とポリマー電荷輸送材料との組み合わせを含んでいてもよい。限定されないが、ポリ（Ｎ−ビニルカルバゾール）；ポリ（ビニルピレン）；ポリ（−ビニルテトラフェン）；ポリ（ビニルテトラセン）および／またはポリ（ビニルペリレン）のような任意の適切なポリマー電荷輸送材料を用いてもよい。
【００３０】
任意の適切な電気的に不活性なポリマーを電荷輸送層３８６で用いてもよい。典型的な電気的に不活性なポリマーとしては、ポリカーボネート、ポリアリレート、ポリスチレン、アクリレートポリマー、ビニルポリマー、セルロースポリマー、ポリエステル、ポリシロキサン、ポリアミド、ポリウレタン、ポリ（シクロオレフィン）、ポリスルホン、エポキシ、これらのランダムポリマーまたは交互ポリマーを挙げることができる。しかし、電荷輸送層に、任意の他の適切なポリマーを利用してもよい。
【００３１】
種々の実施形態では、電荷輸送層３８６は、側方電荷移動（ＬＣＭ）に対する耐性を高めるために、限定されないが、ヒンダードフェノール酸化防止剤、例えば、テトラキスメチレン（３，５−ジ−ｔｅｒｔ−ブチル−４−ヒドロキシヒドロシンナメート）メタン（ＩＲＧＡＮＯＸ（登録商標）１０１０（Ｃｉｂａ  Ｓｐｅｃｉａｌｔｙ  Ｃｈｅｍｉｃａｌ、タリータウン、ＮＹから入手可能）、ブチル化ヒドロキシトルエン（ＢＨＴ）、および、ＳＵＭＩＬＩＺＥＲ（商標）  ＢＨＴ−Ｒ、ＭＤＰ−Ｓ、ＢＢＭ−Ｓ、ＷＸ−Ｒ、ＮＷ、ＢＰ−７６、ＢＰ−１０１、ＧＡ−８０、ＧＭ、ＧＳ（Ｓｕｍｉｔｏｍｏ  Ｃｈｅｍｉｃａｌ  Ａｍｅｒｉｃａ、Ｉｎｃ．、ニューヨーク、ＮＹから入手可能）、ＩＲＧＡＮＯＸ（登録商標）１０３５、１０７６、１０９８、１１３５、１１４１、１２２２、１３３０、１４２５ＷＬ、１５２０Ｌ、２４５、２５９、３１１４、３７９０、５０５７、５６５（Ｃｉｂａ  Ｓｐｅｃｉａｌｔｉｅｓ  Ｃｈｅｍｉｃａｌｓ、タリータウン、ＮＹから入手可能）、ＡＤＥＫＡ  ＳＴＡＢ（商標）  ＡＯ−２０、ＡＯ−３０、ＡＯ−４０、ＡＯ−５０、ＡＯ−６０、ＡＯ−７０、ＡＯ−８０、ＡＯ−３３０（Ａｓａｈｉ  Ｄｅｎｋａ  Ｃｏ．，Ｌｔｄ．から入手可能）を含む他のヒンダードフェノール系酸化防止剤；ヒンダードアミン酸化防止剤、例えば、ＳＡＮＯＬ（商標）  ＬＳ−２６２６、ＬＳ−７６５、ＬＳ−７７０、ＬＳ−７４４（ＳＡＮＫＹＯ  ＣＯ．，Ｌｔｄ．から入手可能）、ＴＩＮＵＶＩＮ（登録商標）１４４および６２２ＬＤ（Ｃｉｂａ  Ｓｐｅｃｉａｌｔｉｅｓ  Ｃｈｅｍｉｃａｌｓ、タリータウン、ＮＹから入手可能）、ＭＡＲＫ（商標）  ＬＡ５７、ＬＡ６７、ＬＡ６２、ＬＡ６８、ＬＡ６３（Ａｍｆｉｎｅ  Ｃｈｅｍｉｃａｌ  Ｃｏｒｐｏｒａｔｉｏｎ、アッパーサドルリバー、ＮＪから入手可能）、ＳＵＭＩＬＩＺＥＲ（登録商標）ＴＰＳ（Ｓｕｍｉｔｏｍｏ  Ｃｈｅｍｉｃａｌ  Ａｍｅｒｉｃａ、Ｉｎｃ．、ニューヨーク、ＮＹから入手可能）；チオエーテル酸化防止剤、例えば、ＳＵＭＩＬＩＺＥＲ  ＴＰ−Ｄ（Ｓｕｍｉｔｏｍｏ  Ｃｈｅｍｉｃａｌ  Ａｍｅｒｉｃａ、Ｉｎｃ．、ニューヨーク、ＮＹから入手可能）；ホスファイト酸化防止剤、例えば、ＭＡＲＫＴＭ  ２１１２、ＰＥＰ−８、ＰＥＰ−２４Ｇ、ＰＥＰ−３６、３２９Ｋ、ＨＰ−１０（Ａｍｆｉｎｅ  Ｃｈｅｍｉｃａｌ  Ｃｏｒｐｏｒａｔｉｏｎ、アッパーサドルリバー、ＮＪから入手可能）；他の分子、例えば、ビス（４−ジエチルアミノ−２−メチルフェニル）フェニルメタン（ＢＤＥＴＰＭ）、ビス−［２−メチル−４−（Ｎ−２−ヒドロキシエチル−Ｎ−エチル−アミノフェニル）］−フェニルメタン（ＤＨＴＰＭ）などのような、１つ以上の任意要素の材料を含んでいてもよい。電荷輸送層２４０は、酸化防止剤を、電荷輸送層全体を基準として約０〜約２０重量％、約１〜約１０重量％、または約３〜約８重量％の範囲の量で含んでいてもよい。
【００３２】
電荷を輸送する分子または化合物が、電気的に不活性なポリマーに分散した電荷輸送層３８６は、ある程度絶縁体であってもよく、電荷輸送層３８６の上にある静電電荷は、その上に静電潜像を形成したり、保持したりしないように、導電性ではない。一方、電荷輸送層３８６は、電気的に「活性」であってもよく、正孔を注入するピクセル３８５の配列の各ピクセル中のナノカーボン材料および共役した有機ポリマーのうち１つ以上を含む層から、正孔を注入することができ、これらの正孔を、電荷輸送層３８６自体を通して輸送することができ、表面３８８の上にある表面負電荷を選択的に放電することができる。
【００３３】
任意の適切な技術および従来の技術を利用し、ピクセル３８５の配列を作成し、その後に、ピクセル３８５の配列の上に電荷輸送層３８６を塗布してもよい。例えば、電荷輸送層３８６を、１回のコーティング工程または複数回のコーティング工程で作成してもよい。これらの塗布技術としては、噴霧、浸漬コーティング、ロールコーティング、ワイヤ巻き付けロッドによるコーティング、インクジェットコーテイング、リングコーティング、グラビア印刷、ドラムコーティングなどが挙げられる。
【００３４】
堆積したコーティングの乾燥尾は、例えば、乾燥器による乾燥、赤外線照射による乾燥、風乾などのような任意の適切な従来の技術によって行われてもよい。電荷輸送層３８６は、乾燥後に、厚みが約１μｍ〜約５０μｍ、約５μｍ〜約４５μｍ、または約１５μｍ〜約４０μｍであってもよいが、この範囲からはずれた厚みを有していてもよい。
【００３５】
バックプレーン中のトランジスタ配列を製造するためのアモルファスケイ素。アモルファスケイ素は、トランジスタを製造するための半導体材料として選択されてもよい。アモルファスＳｉ  ＴＦＴは、低コスト処理および成熟した製造技術のためのディスプレイ産業において、ピクセルを割り当てる要素として広範囲に用いられる。また、アモルファスＳｉ  ＴＦＴは、トランジスタの形状を変えることによって高電圧操作も適している（参考文献：Ｋ．Ｓ．Ｋａｒｉｍら、Ｍｉｃｒｏｅｌｅｃｔｒｏｎｉｃｓ  Ｊｏｕｒｎａｌ  ３５（２００４）、３１１．、Ｈ．Ｃ．Ｔｕａｎ、Ｍａｔ．Ｒｅｓ．Ｓｙｍｐ．Ｐｒｏｃ．７０（１９８６））。
【００３６】
ＴＦＴバックプレーンを用いる潜像作成システム３８０は、基板３８２に接続するソース電極を有する複数のＴＦＴ３８４を備えており、電荷輸送層３８６（すなわち、正孔輸送層）に連結した正孔注入ピクセル３８５を駆動する。このシステム３８０は、表面の電位を減らすため、さらに、潜像を作成するための放電に、ＴＦＴコントロールを使用する。現像（印刷）電極を用い、電荷輸送層３８６を帯電させるか、またはこの層を通過するような電場を作り出してもよい。現像電極は、バイアスがかけられ、調整された磁気ブラシ、バイアスがかけられたインクロール、コロトロン、スコロトロン、ディスコロトロン、バイアスがかけられた帯電ロール、バイアス転写ローラーなどであってもよい。例えば、爪を形成する構造の中にあるナノ画像形成体に、バイアスを調整した磁気ロールを加えることによって、直接的な印刷を行ってもよい。磁気ロールは、−Ｖの電圧で負のバイアスがかけられていてもよい。ＴＦＴが接地されている（Ｖ＝０）か、または正であるときに、印刷が行われる。この構造では、印刷電極と正孔注入ピクセル３８５との間に電場が作りだされる。この電場によって、正孔注入が誘発され、表面３８８に正の表面電荷が生じる。次いで、この正の電荷が現像され、印刷される。一方、ＴＦＴが、磁気ロールのようにバイアスがかけられている場合（−Ｖ）、磁場は作り出されない。その結果、表面３８８に表面電荷は生じず、印刷も行われない。
【００３７】
図３（ｂ）は、本発明の直接的なナノデジタル印刷システムの一実施形態を示す。直接的なナノデジタル印刷システムは、コントローラ３０５と、ナノ画像形成体３１０と、現像サブシステム３２０と、転写／フューザーサブシステム３２５とを備えている。コントローラ３０５は、デジタル印刷データを、ナノ画像形成体３１０に連結したアンテナ／受信機に伝送する。コントローラ３０５は、デジタル印刷データを、ナノ画像形成体３１０に連結したアンテナ／受信機に無線によって伝送する。具体的には、コントローラ３０５は、ワイヤレスディスプレイ（ＷｉＤｉ）プロトコルを介して印刷データを伝送してもよい。
【００３８】
ナノ画像形成体３１０は、アンテナ／受信機から印刷信号を受信し、この印刷信号を静電潜像に変換する。もっと特定的には、ナノ画像形成体のアンテナ／受信機が、印刷信号を受信し、この印刷信号をアナログ信号に変換し、このアナログ信号が、駆動している電子部品を制御し、ナノ画像形成体のバックプレーンにある多数のＴＦＴを駆動させる。次いで、ＴＦＴは、画像形成体の正孔注入を個々に割り当て、これにより、現像サブシステム３２０と接しているときに、ナノ画像形成体を通過するデジタル電場が作りだされる。接触している間に静電潜像が作成され、これが現像され、印刷されてもよい。適切な印刷材料は、ゼログラフィー用乾燥粉末トナー、液体トナー、フレキソインク、オフセットインク、または他の低粘度インクである。転写／フューザーサブシステム３２５は、この像を受け取り、媒体の上に転写する。次いで、この像を、用いられる画像形成材料に依存して、熱、圧力および／またはＵＶ照射によって媒体の上に定着させてもよい。
【００３９】
コントローラとアンテナ／受信機との間の伝送経路には、障害物が存在しないことが必要である。それに加え、印刷デバイスに特定の電磁遮蔽を組み込んでおき、無線によって伝送される印刷データとの干渉が最低限になるようにすることが必要な場合がある。アンテナ／受信機は、１個の集積回路の上にあってもよい。または、アンテナが、ある集積回路の上にあってもよく、受信機は、別の集積回路の上にあってもよい。
【００４０】
さらに図３（ｂ）を参照すると、代替的な実施形態では、ナノ画像形成体３１０は、複数のゾーンに分けられていてもよい。コントローラ３０５は、デジタル印刷データ信号をナノ画像形成体３１０全体に一度に伝送することができないため、ナノ画像形成体は、いくつかのゾーンにわけられていてもよい。図３（ｂ）に示されている本発明の実施形態では、ナノ画像形成体３１０は、８個のゾーンに分けられており、参照番号１〜８がつけられている。本発明のいくつかの実施形態では、ナノ画像形成体３１０は、２個のゾーン、３個のゾーン、４個のゾーン、または１６個のゾーンに分けられていてもよい。それぞれのゾーンは、大きさ（または幾何学的面積）が同じでなければならない。したがって、８個のゾーンが存在する場合、この８個のゾーンは、互いに大きさまたは面積が同じであってもよい。
【００４１】
いくつかの実施形態では、ナノ画像形成体３１０の各ゾーンは、コントローラ３０５からの印刷信号を受信するためのアンテナ／受信機を備えていてもよい。具体的には、ナノ画像形成体が８個のゾーンを有している場合、ナノ画像形成体３１０は、８個のアンテナ／受信機を有していてもよい。さらなる代替的な実施形態では、各ゾーンが複数のアンテナ／受信機を有していてもよい。各ゾーンは、プリンタによって運ばれる媒体の上で転写され、固定される画像の一部分に対応していてもよい。本発明のいくつかの実施形態では、ナノ画像形成体の１個のゾーンのみがアンテナ／受信機を有していてもよい。この実施形態では、ゾーンのアンテナ／受信機は、伝送されたデータを無線によって受信し、受信したデータを、ナノ画像形成体の選択したゾーンに送る。
【００４２】
図３（ｃ）は、本発明の一実施形態のナノ画像形成体の断面図をあらわす。図３（ｄ）は、本発明の一実施形態のナノ画像形成体の上面図をあらわす。図３（ｃ）を参照すると、ナノ画像形成体３１０は、基板３６０と、アンテナ／受信機３６２と、駆動している電子部品３６４と、ＴＦＴ配列を形成する複数の薄膜トランジスタ（ＴＦＴ）３６５と、複数の正孔注入ピクセル３６８と、電荷輸送層３７０とを備えている。アンテナ／受信機３６２は、駆動している電子部品３６４を備えるボードまたは基板に取り付けられていてもよい。または、アンテナ／受信機３６２は、図３（ｃ）に示されているように、駆動している電子部品３６４とは別の集積回路に搭載されていてもよい。
【００４３】
図４は、本発明の一実施形態にかかる、潜像を作成する装置または直接印刷するための装置の中の薄膜トランジスタの配列を示す。示されているように、図４は、５行５列の長方形のマトリックス内に整列しているＴＦＴ配列４１０を示す。ＴＦＴ配列４１０は、コンピュータ４４４によってコントローラ４４２に供給されるデジタル情報から潜像を作り出す。本発明の一実施形態では、コンピュータ４４４は、デジタル印刷ファイルをコントローラまたはデジタルフロントエンド（ＤＦＥ）４４２に送る。コントローラ４４２は、デジタル信号をＣＭＹＫビットまたはＲＧＢビットに分解し、次いで、このデジタルビットを無線によってアンテナ／受信機４４１に送るだろう。アンテナ／受信機４４１は、受信したデジタル情報をＴＦＴ配列４１０に送り、この情報には、ピクセルの位置と、ピクセル電圧が含まれている。本発明のいくつかの実施形態では、コントローラ４４２は、デジタル情報をアンテナ／受信機４４１に送り、デコーダ４１２、リフレッシュ回路４１８、デジタル−アナログ（Ｄ／Ａ）変換器４１６を含む複数のインターフェースデバイスを駆動させることによって、ＴＦＴ配列４１０の操作を制御／命令する。デコーダ４１２、リフレッシュ回路４１８、Ｄ／Ａ変換器４１６は、駆動している電子部品と呼ばれることがある。
【００４４】
アンテナ／受信機４４１からデジタル信号を受信した後、デコーダ４１２は、行および列の位置によって配列４１０内の個々のピクセルセルを選択して潜像を作り出す信号を作成する。具体的には、コントローラ４４２は、信号を無線によってアンテナ／受信機に送り、アンテナ／受信機４４１は、バス４３７によってデコーダ４１２に情報を送る。この実施形態では、コントローラ４４２は、ピクセル電圧と位置情報をデジタル化したものを作成し、このデジタル化されたピクセル電圧を、アンテナ／受信機に無線によって送り、このアンテナ／受信機は、バス４３８を介してデジタル−アナログ（Ｄ／Ａ）変換器４１６を備えている。Ｄ／Ａ変換器４１６は、デジタル化されたピクセル電圧を、１つ以上の選択された列Ｙ１〜Ｙ５に配置されているアナログ電圧に変換する。ナノ画像形成体をリフレッシュするために、コントローラ４４２は、アドレスデータを無線によってアンテナ／受信機４４１に送り、次いで、バス４３９を介してリフレッシュ回路４１８に送り、行Ｚ１〜Ｚ５を選択する。リフレッシュ回路４１８は、ダイナミックランダムアクセスメモリ（ＤＲＡＭ）のコンデンサを再帯電させるのに用いられるメモリのリフレッシュ回路と同様の様式で動く。
【００４５】
本発明のいくつかの実施形態では、ＴＦＴ配列４１０の操作時のバイアス電圧は、＋２０ボルト〜−２００ボルトの範囲であってもよい。本発明の代替的な実施形態では、ＴＦＴ配列４１０の操作時のバイアス電圧は、＋１００ボルト〜−４００ボルトの範囲であってもよい。本発明のいくつかの実施形態では、ピクセルの大きさは、１０ミクロン×１０ミクロン〜３０ミクロン×３０ミクロンの範囲であってもよい。本発明の他の実施形態では、ピクセルの大きさは、１ミクロン×１ミクロン〜２００ミクロン×２００ミクロンの範囲であってもよい。
【００４６】
図４に示される実施形態では、各ピクセルパッド４２８は、薄膜トランジスタ４２０に接続しており、正孔注入ピクセルと接したコンデンサを備えている。半導体材料（例えば、アモルファスケイ素（ａ−Ｓｉ：Ｈ））は、トランジスタの望ましい操作特性および加工特性に十分に適している。広い領域のフォーマットに及ぶアクティブ型およびパッシブ型の薄膜デバイスの製造コストが比較的安価であるという観点から（例えば、アルミニウム、ステンレス鋼、ガラス、ポリイミド、または他の適切な基板）、費用対効果の高いＴＦＴ配列４１０を得ることが可能である。さらに、ＴＦＴ配列４１０は、高電圧コンデンサおよびデコーダ４１２と同じ集積回路の上にある高電圧薄膜トランジスタ４２０に組み込まれていてもよい。
【００４７】
配列４１０の示されている部分の操作は、以下のとおりである。コンピュータ４４４は、駆動している電子部品を介し、デジタル画像情報をＴＦＴ配列４１０に供給する。さらに図４を参照すると、コンピュータは、デジタルフロントエンド（またはコントローラ）４４２にデジタルプリントを送り、このデジタルプリントをＣＭＹＫカラービットまたはＲＧＢカラービットに変換する。次いで、コントローラ４４２は、このデジタル情報を無線によって、駆動している電子部品の一部分であるアンテナ／受信機４４１に送る。このデジタル信号は、画像の一部分を作成するために帯電されるべきピクセル位置およびバイアス電圧に関する情報（例えば、（１）Ｘ３行とＹ４列の交差点；（２）Ｘ４行とＹ２列の交差点；（３）Ｘ１行とＹ３列の交差点）を有しているだろう。具体的には、コントローラ４４２は、ピクセルを帯電させるための行を選択するために、２桁のコードＸ３Ｙ４、Ｘ４Ｙ２、Ｘ１Ｙ３を送る。図４の実施形態では、駆動している電子部品のアンテナ／受信機４４１は、伝送された２桁のコードを受信し、Ｘ３行、Ｘ４行、Ｘ１行のトランジスタ４２０にゲートバイアス電圧を加える。コントローラ４４２は、デジタル化されたピクセル電圧をアンテナ／受信機４４１に送り、このデジタル化されたピクセル電圧をＤ／Ａ変換器４１６に送る。Ｄ／Ａ変換器４１６は、このデジタル入力値に対応するアナログ出力を行ない、Ｙ４列、Ｙ２列、Ｙ３列に接続した高電圧トランジスタのソース電極に対し、アナログ出力を行う。図４に示されているように、Ｘ３ゲートバイアス電圧と、Ｙ４列にかかる電圧との組み合わせによって、Ｘ４ゲートバイアス電圧と、Ｙ２列にかかる電圧との組み合わせによって、さらに、Ｘ１ゲートバイアス電圧と、Ｙ３列にかかる電圧との組み合わせによって、３個のトランジスタのみ（一般的には、参照番号４６０、４６２、４６４で示されている）がＯＮに切り替わる。したがって、トランジスタ４６０、４６２、４６４のドレインにのみアナログ電圧が生じ、参照番号４６１、４６３、４６５で示されるピクセルパッドに含まれる高電圧コンデンサが帯電する。このプロセスを、望ましい潜像が作られるまで、割り当てられているそれぞれのピクセルについて繰り返す。時間経過に伴い、コンデンサは放電し始めるだろう。電荷を保存するために、各ピクセルセルは、リフレッシュ回路４１８によってリフレッシュされなければならない。
【図１】
0005820730.tif 000007
【図２】
0005820730.tif 000008
【図３Ａ】
0005820730.tif 000009
【図３Ｂ】
0005820730.tif 000010
【図３Ｃ】
0005820730.tif 000011
【図３Ｄ】
0005820730.tif 000012
【図４】
0005820730.tif 000013